(57)【要約】【課題】密閉式のゴミ箱では、ゴミで一杯になった容器をゴミ箱から取り出す際、特にゴミの量が多いと、重くてかさばり、扱いにいなどの不具合があった。  そこで、本考案は、上記した欠点を解消し、密閉式ゴミ箱にたまったゴミの投入、取出し並びに運搬作業を容易にしたものである。【解決手段】ゴミ箱の箱上部のゴミ投入開口部の蓋を中折れ式にし、、スプリング付きリンク機構を介して足踏みペダルによって中折れ式蓋の開閉操作を行い、ゴミ箱の蓋をわずかな力で開閉可能にした。更に、ゴミ箱前面に開閉扉を設け、箱底面にはガイドレールと移動台車のストッパーを設けて、ゴミ袋又はゴミ箱をセットした移動台車を箱本体内部への押し込みと取出しを容易にした、ゴミ袋又はゴミ箱を移動台車ごと、ゴミ箱から引き出してゴミの収集所に移動可能にした密閉式ゴミ箱である。【選択図】  図１
0003111843.tif 000002
【実用新案登録請求の範囲】
【請求項１】
ゴミ箱の上部にゴミなどの投入用開口部と、同投入用開口部を密閉する蓋と、前記ゴミ箱の前面にごみなどの投入物を取出す扉を設けた密閉式ゴミ箱において、上記投入用開口部を密閉する蓋を中折れ蓋としたことを特徴とする密閉式ゴミ箱。
【請求項２】
前記中折れ蓋にスプリング付きリンクと、前記中折れ式蓋の開閉操作をおこなう足踏みペダル機構を接続したことを特徴とする請求項１に記載の密閉式ゴミ箱。
【請求項３】
上記ゴミ箱のゴミ箱前面下部には可倒板を取付け、前記ゴミ箱の内側底面には移動台車用のガイドを設けて、前記ゴミ箱前面の扉から前記移動台車をゴミ箱内部への収納並びに取出し可能にしたことを特徴とする請求項１から２に記載の密閉式ゴミ箱。
【請求項４】
上記ゴミ箱のゴミ箱内部に収納される前記移動台車にゴミ袋押さえ枠を着脱可能に装着したことを特徴とする請求項１から３に記載の密閉式ゴミ箱。
【考案の詳細な説明】
【技術分野】
【０００１】      本考案は、ゴミを投入あるいは回収するゴミ箱内にゴキブリ等の侵入を阻止できる密閉式ゴミ箱の改良に関する。
【背景技術】
【０００２】  従来のゴミ箱の一例を図９から図１２を参照して以下説明する。図９は斜視図、図１０は図９の正面図、図１１は図１０のＡ−Ａ線矢視断面図、図１２は図１１の平面図である。
図９から図１２に図示するように、ゴミ箱１は上方に開く片開き蓋３とゴミ収集容器２とで構成されている。片開き蓋３の縁部下面３ａ上部端面３ｂが閉じたとき、それら両端部はゴキブリ等が侵入できない程度に密着している。一般的に、ゴミ箱１に回収したゴミを投入する時は、図１１に図示するようにゴミ箱１の内部に上部が開口したゴミ収集容器２を収納し、ゴミはゴミ箱１の片開き蓋３を手で引き上げてゴミ収集容器２内に投入し、ゴミ収集容器２内に溜まった回収ゴミは、その都度、片開き蓋３を手で引き上げてゴミ箱１の上部開口から取り出していた。そこで先に本考案者はゴミ箱にたまったゴミの取出作業を容易にする実用新案登録第３１０２７８６号を取得したが、更にゴミ箱の改良を図った。
【考案の開示】
【考案が解決しようとする課題】
【０００３】  従って、従来の本考案に係る密閉式ゴミ箱では、ゴミで一杯になったゴミ収集容器２をゴミ箱１の内部から取り出す際に、特にゴミのたまった量が多いと、かさばって重くなり、扱いにくく、作業が難渋するなどの不具合があった。
そこで、本考案は、上記した欠点を解消し、密閉式ゴミ箱にたまったゴミの投入、取出し並びに運搬作業を容易にすることを目的としたものである。
【課題を解決するための手段】
【０００４】本考案の請求項１に係る考案は，ゴミ箱の箱上部のゴミ投入開口部の蓋を中折れ式にし、ゴミ箱の開口部を増大させると共に、ゴミ投入開口部を塞ぐ蓋をわずかな力で開閉可能にした密閉式ゴミ箱である。
本考案の請求項２に係る考案は，箱の箱前面下部に設けた足踏みペダルによって前記中折れ式蓋の開閉操作をおこなうため、スプリング付きリンク機構を設け、且つそのリンク機構を箱内部に収納可能にした密閉式ゴミ箱である。【０００５】本考案の請求項３に係る考案では、ゴミ箱前面には開閉扉を、同ゴミ箱の底面には移動台車ガイド付きのガイドレール若しくはガイド溝を、同ゴミ箱の前面下部にはＬ型の可倒板を取付、前記ガイド手段を介して移動台車を上記ゴミ箱内に出し入れ可能にした密閉式ゴミ箱である。
本考案の請求項４に係る考案では、上記ゴミ箱のゴミ箱内部に収納される前記移動台車にゴミ袋押さえ枠を着脱可能に装着した密閉式ゴミ箱である。
【考案の効果】
【０００６】本考案の請求項１に係る考案では，中折れ式蓋としたことにより、箱上部の投入口が大きくなっても足踏みペダルによって容易に開くことができるので、ゴミを投入する人が両手を使うことができ、より大きなゴミを投入することができる。
本考案の請求項２に係る考案では，中折れ式蓋の開閉リンク機構に開閉操作用のスプリングを取付けたので、スプリングの反力により中折れ式蓋の開閉操作が自動化され、且つ、中折れ式蓋を開閉するリンク機構は箱体の内部に収まり、箱外部に可動部がないので、安全カバーの必要がなく、箱本体が簡素化されて、前記リンク機構を箱内部に収納できた。【０００７】本考案の請求項３に係る考案では，ゴミ箱の前面には開閉扉を、同ゴミ箱の底面にはガイド付きのガイドレール若しくはガイド溝を、同ゴミ箱の前面下部にはＬ型の可倒板を取付、前記可倒板と前記ガイド手段を介して移動台車を上記ゴミ箱内に容易に出し入れ可能にし更に可倒板は移動台車の出し入れに伴い、自動的に屈曲可倒するので、手で可倒板を屈曲可倒させる必要もなく衛生的である。ゴミ袋又はゴミ収納容器を移動台車に乗せたまま引出せるようにしたので、ゴミの収集量が大きくなっても、箱からの取り出しが容易となり、また取り出した後の移動台車運搬が直ちに可能となった。
本考案の請求項４に係る考案では，ゴミ袋を押さえ枠を介して移動台車に着脱可能にしたのでゴミ収集用の袋の移動台車への取付け取出しが容易になった。
【考案を実施するための最良の形態】
【０００８】図１から図８は、本考案に係る実施例を示す図で、図１は本考案による箱の全体斜視図、図２及び図３は中折れ式蓋に連結しているスプリング付きペダル操作式リンク機構を示す図。図４は図１のＡ矢視断面図、図５は図１のＢ矢視断面図、図６から図８は移動台車の構造図を示す図である。以下これらの図を参照し、各実施例について説明する。
【実施例１】
【構成】
【０００９】本実施例では、ゴミ投入開口部１ａの蓋を中折れ式にしたことが特徴であり、図１に示すようにゴミ箱１のゴミ投入開口部１ａを塞ぐ中折れ式蓋は主片開き蓋３と副片開き蓋４によって構成されている。主片開き蓋３の一端はゴミ箱上部開口部の後部縁に、一対の蝶番５によって結合され、副片開き蓋４の一端も前記主片開き蓋３の他端と一対の蝶番６によって連結されている。副片開き蓋４の他端の前方縁７の両端２箇所にはそれぞれローラ８が装着されている。従って、ゴミ箱１上部のゴミ投入開口部１ａの左右縁９には前記一対のローラ８が転動可能に調整して組み込まれている。更に主片開き蓋３の裏側には図２に図示するように操作リンク機構と結合するＬ形金具１０が取付けてある。
【作用】
ゴミ投入開口部１ａが全閉状態においては、主片開き蓋３及び副片開き蓋４は共に、水平になってゴミ箱１上部のゴミ投入開口部１ａ全周が、ゴキブリが入らない程度に密閉されている。そこで、ゴミ投入開口部１ａを開く時は、主片開き蓋３のＬ形金具１０に操作リンクを介して押上げる力を作用させると、一対の蝶番５を回転軸として主片開き蓋３が傾きだし、一対の蝶番６を介して副片開き蓋４の一方の端が持ち上がる。これに伴い副片開き蓋４の前方縁７がゴミ箱１の左右縁９の上をローラ８の転動と追従して後方に移動し、全開位置にて止る。この操作において副片開き蓋４の重量は、開き始めはローラ８によってその半分が支えられ、開度が大きくなるにつれてローラ８の支持重量が大きくなり、主片開き蓋３の駆動力は次第に軽減される。
【実施例２】
【００１０】  本実施例では、足踏みペダルによって中折れ式蓋を操作するスプリング付きリンク機構を設けた。
【構成】
図２及び図３は中折れ式蓋を操作するリンク機構と片開き蓋との結合状態を示す図で、リンク機構は水平部分と垂直部分によって構成されている。  水平部分はペダル１１と、水平レバー１２と、該水平レバー１２の支点を支持する支持金具１３によって構成されている。また、垂直部分は、箱底板１４を貫通して動く下部レバー１５と、下部レバー１５に接続されているスプリングレバー１６と、同スプリングレバー１６を支持する金具１７と、主片開き蓋３の裏側に固着したＬ形金具１０と前記スプリングレバー１６とを結合する連結レバー１８から構成されている。スプリングレバー１６にはスプリング受１９が途中に取付けてあり、スプリング２０をスプリング受１９と支持金具１７との間に挿着している。水平レバー１２は箱底板１４の下側にあり、支持金具１３と第１のピン２１によって結合されている。水平レバー１２と垂直部分の下部レバー１５は第２のピン２２によって結合されている。スプリングレバー１６と連結レバー１８は第３のピン２３で、また、主片開き蓋３の裏側にＬ形金具１０は第４のピン２４でそれぞれ結合されている。また、垂直部分のスプリングレバー１６は傾かないように底板１４の貫通穴２５と支持金具１７の貫通穴に挿入されている。
【作用】
ペダル１１を下方に押すと支持金具１３の第１のピン２１を支点にして水平レバー１２の第２のピン２２部分が上方に動き、垂直部分の下部レバー１５と、スプリングレバー１６と、連結レバー１８が上方に押し上げられる。これにより主片開き蓋３が持ち上がり、前述の作用によってゴミ投入開口部１ａが開く。    この時、スプリング２０はスプリング受１９が上方に移動して圧縮されている。
ペダル１１を下方に押す力を解放すると、スプリング２０の力によって垂直部分の各レバー１５、１６は下方に押され、主片開き蓋３を引き下げ、同時にペダル１１は上方に動いて元の位置に戻る。主片開き蓋３の開度が小さくなると主片開き蓋３の閉まる力が増加し、スプリング２０の力が弱くなっても主片開き蓋３はその重量で閉まる。従って、スプリング２０は主片開き蓋３が閉動作するときの初期動作を助けるだけの力で良い。
水平レバー１２は箱底板１４の下にあり、垂直部分の下部レバー１５は底板１４の貫通穴２５を貫通しており、貫通部分の隙間からゴキブリ等の有害虫がゴミ箱１の内部に進入することはない。
【実施例３】
【００１１】本実施例では移動台車４００をゴミ箱内に容易に出し入れ可能にするために、同ゴミ箱の底面にはガイド付きのガイドレール若しくはガイド溝を、同ゴミ箱底板の前部にはＬ型の乗越し可倒板を取付けた。また、左右の可倒式乗越し板は連結しても良いが本実施例ではペダルに干渉しないよう切欠いた。
【構成】
図４は移動台車の押込みと引出し状態を、図５はガイドレールの取付け状態を示す図である。ゴミ箱１の底板１４の上面に２本のガイドレール２６、２７を平行に取付けた。平行に取付けた２本のガイドレール２６、２７の一端側にはゴミ箱１の前面側にラッパ状に拡げた一対のキャスターの前輪入口案内板２８ａと、一対のキャスターの後輪入口案内板２９ａを、更に一対のキャスターの前輪案内板２８ｂと、一対のキャスターの後輪案内板２９ｂを取付け、移動台車４００に取付けた４個のキャスターの後輪４１ａ、４１ｄと前輪４１ｂ、４１ｃが円滑に２本のガイドレール２６、２７に案内されるようにした。各ガイドレール２６、２７は、それぞれ一対の側板２８，２９と後部止め板３０で構成し、図５に図示するように底板１４に取付けた。２本のガイドレール２６、２７の間隔ｂと高さｈは、移動台車４００に取付けた各キャスター４１が円滑に回転するように調整した。また、ガイドレール後端部の止め板３０はキャスターの前輪４１ｂ、４１ｃがガイドレール２６、２７の前方に移動してガイドレール後端部から外れないように取付けた。更に、ゴミ箱１の底板４０には前板３３ａと後板３３ｂで構成したＬ型の可倒板３３を蝶番で取付けた。Ｌ型の可倒板３３の交差する前板３３ａと後板３３ｂの長さは、前板３３ａの長さを後板３３ｂの長さより長くした。従って、キャスター４１が可倒板３３に載る時以外は、常に可倒板３３は、Ｌ字屈曲交差部の蝶番を支点として、前板３３ａの自重が後板３３ｂの自重に打ち勝って前板３３ａ側に倒れるように調整した。他方、本実施例では、図４に図示するごとく、移動台車４００をゴミ箱１から引出す際に可倒板３３の前板３３ａが起倒しないようにキャスターの前輪４１ｂ、４１ｃの車幅と、後輪４１ａ、４１ｄの車幅を変えると共に、可倒板３３の前板３３ａと後板３３ｂの板幅を調整した。従って図４ｄ、図４ｅ，図４ｆ，図４ｇに図示する如く、可倒板３３の前板３３ａと後板３３ｂ交差部の間にばねを介在させ、可倒板３３の前板３３ａと後板３３ｂ交差部の角度が０〜約１８０度に追従して屈曲可能に構成しているので、移動台車４００をゴミ箱１から引出す際に可倒板３３の後板３３ｂが起倒しても、キャスターの前輪４１ｂ、４１ｃが可倒板３３の後板３３ｂを屈曲して乗り越すので、キャスターの車幅と、可倒板３３の前板３３ａと後板３３ｂの板幅を変える必要はない。また、本実施例でのガイドレール２６、２７に代えてゴミ箱の底板にガイド溝をプルス加工等にて形成しても良い。ガイドレール後端部の止め板３０やガイドレール２６、２７の固着作業が不要となりコストも低減できる。
【作用】
移動台車４００をゴミ箱１内に押込む時の状況を図４、図４ａ、図４ｂ、図４ｃに図示説明する。同様にキャスターの後輪４１ａ、４１ｄの軌跡も左右の後輪案内入口板２９ａと、左右の後輪案内板２９ｂにより決まる。図４ａに図示する如く、先ず、ゴミ箱前面の扉３４を開いて移動台車４００ゴミ箱１に押込むと、キャスターの前輪４１ｂ、４１ｃの軌跡は左右の前輪案内入口板２８ａと、左右の前輪案内板２８ｂにより決まる。従って、移動台車４００に取付けた２個のキャスターの前輪４１ｂ、４１ｃが、先ず、可倒板３３の前板３３ａを乗越す、続いて移動台車４００をゴミ箱１に押込むと、キャスターの前輪４１ｂ、４１ｃとキャスターの後輪４１ａ、４１ｄ車幅と、可倒板３３の前板３３ａと後板３３ｂの板幅が異なるために、キャスターの前輪４１ｂ、４１ｃは、可倒板３３の前板３３ａ上を乗越し通過するが、可倒板３３の後板３３ｂ上を乗越すことはない。図４ｂに図示するように移動台車４００をゴミ箱１に押込むと、キャスターの後輪４１ａ、４１ｄが可倒板３３の後板３３ｂに当接する。図４ｃに図示するように移動台車を更に押すと、可倒板３３の前板３３ａが９０度回転し可倒板３３の前板３３ａを起倒して、後輪止め板３０に当たって、移動台車４００が所定の位置に止るので、ゴミ箱前面の扉３４を閉じることができる。従って、逆に移動台車４００をゴミ箱１から引出す時は乗り越し可倒板３３の前板３３ａがキャスターの後輪４１ａ、４１ｄに押されて手前に回転して、キャスターの後輪４１ａ、４１ｄと前輪４１ｂ、４１ｃが可倒板３３の前板３３ａを容易に乗越すことが出来る。前述したように移動台車４００をゴミ箱１に収納する際は、キャスターの後輪４１ａ、４１ｄは、可倒板３３の前板３３ａ上を通過後、可倒板３３の後板３３ｂの上に載って停止し、移動台車４００の左右と前後の位置が適正位置に保持されて、移動台車４００がゴミ箱１内からはみ出たり、ゴミ収集容器２の受け口とゴミ投入開口との相対ずれも生じ無い。その後、ゴミ箱１の前面扉３４を閉めると、ゴミ箱１は害虫が侵入できないように密閉される。逆に、ゴミ箱前面の扉３４を開き、移動台車４００をゴミ箱１内から引き出すとゴミ箱１のＬ型可倒板３３の後板３３ｂの上に載っていた移動台車４００の後輪のキャスター４１ａ、４１ｄは、Ｌ型可倒板３３の前板３３ａ上を通過する。続いて、移動台車４００の前輪のキャスター４１ｂ、４１ｃもＬ型可倒板３３の後板３３ｂと前板３３ａ上を通過する。その後、移動台４００は四輪台車としてゴミを乗せてゴミ集積場まで運搬できる。
【実施例４】
【００１２】  本実施例では、移動台車４００にゴミ袋を着脱可能な機構を取付けた。
【構成】
図６から図８はゴミ箱１から出し入れする移動台車４００を示す図である。この移動台車４００は、図６に図示する台車本体と、図７に図示する天井押え枠４９から構成されている。  移動台車４００は矩形状の底板４０があって、底板４０の下面四隅にそれぞれキャスター４１が取付けられている。更に底板４０の上面には４本の支柱４２が固定されており、各支柱４２の上端は３本の天井水平梁４３と前面側の上部回転梁４４によって接続されている。支柱上端前面の上部回転梁４４は、一方をピン４５によって支柱４２ａに取り付けられ、他方は支柱４２ｄの受ピン４６の上に乗っている。受ピン４６は頭付きボルト状である。これらの支柱４２並びに梁４３、４４によって全体として直方体の辺を構成している。移動台車４００の左右の面には各支柱４２の中段に数本の水平梁４７が取り付けられている。  移動台車４００の前面と後面には下部回転梁４８が取り付けられている。  図８に図示すように天井押え枠４９の断面は、下向きコの字形になった矩形状の枠になっている。この天井押え枠４９を移動台車４００の天井に載せると天井押え枠４９のコの字の溝に水平梁４３，４４が図８に図示するように嵌まり込む。天井押え枠４９の左右の辺には押え金具５０が取り付けられている。押え金具５０の断面形状は、図８に図示するように、下方に回すと天井水平梁４３を挟んで天井押え枠４９が外れないように板バネ５１がついており、蝶番によって図中に矢印で図示するように１８０度以上回転可能になっている。
【作用】
この移動台車４００には内部の空間に、容器１に換えて既製の汚物ケースあるいはゴミ袋を入れることができる。ゴミ袋を移動台車４００に装着する時はゴミ箱前面の回転梁４４、４８を回して前面から装着できる。ゴミ袋の場合は、受け口を移動台車４００の天井水平梁４３及び上部回転梁４４に引っ掛けてから天井押え枠４９を嵌め合せると矩形の受け口を確実に確保出来る。  更に、各支柱４２の中段の水平梁４７と回転梁４８によってゴミ袋の膨らみを押さえることができる。
【産業上の利用可能性】
【００１３】  本考案に関わるゴミ箱は、単にごみ箱のみならず、医療廃棄物や穀物などの微粒物などの収納・搬出容器等にも利用できる。
【図面の簡単な説明】
【００１４】図１：本考案に係るゴミ箱全体の斜視図
図２：中折れ式蓋開閉用ペダル操作リンク機構の斜視図
図３：同上リンク機構の側面図
図４：ガイドレール平面図
図４ａ：キャスター前輪の可倒板乗越し軌跡図（移動台車押し込み時）
図４ｂ：キャスター後輪の可倒板乗越し直前軌跡図（移動台車押し込み時）
図４ｃ：キャスター後輪の可倒板乗越し直後軌跡図（（移動台車収納時）
図４ｄ：キャスター前輪の可倒板乗越し直前軌跡図（移動台車押し込み時）
図４ｅ：キャスター前輪の可倒板乗越し後軌跡図（移動台車押し込み時）
図４ｆ：キャスター後輪の可倒板乗越し直後軌跡図（（移動台車収納時）
図４ｇ：キャスター前輪の可倒板乗越し後軌跡図（移動台車引出し時）
図５：ガイドレール断面図
図６：ゴミ移動台車の斜視図
図７：ゴミ移動代車用天井押さえ枠の斜視図
図８：同上天井押さえ枠の断面図
図９：従来のゴミ箱の斜視図
図１０：従来のゴミ箱の正面図
図１１：同上正面図のＡ−Ａ線矢視断面図
図１２：従来のゴミ箱の平面図
【符号の説明】
【００１５】１・・・ゴミ箱
１ａ・・・ゴミ投入開口部
２・・・ゴミ収納容器
３・・・主片開き蓋
４・・・副片開き蓋
５・・・一対の蝶番
６・・・一対の蝶番
７・・・副片開き蓋の前方縁
８・・・一対のローラ
９・・・箱上部のゴミ投入開口部の左右縁
１０・・・Ｌ形金具
１１・・・ペダル
１２・・・水平レバー
１３・・・支持金具
１４・・・箱底板
１５・・・垂直部分の下部レバー
１６・・・スプリングレバー
１７・・・金具
１８・・・連結レバー
１９・・・スプリング受
２０・・・スプリング
２１・・・第１のピン
２２・・・第２のピン
２３・・・第３のピン
２４・・・第４のピン
２６・・・ガイドレール
２７・・・ガイドレール
ｂ・・・ガイドレールの間隔
２８・・・一対の側板
２８ａ・・・一対のキャスターの前輪入口案内板
２８ｂ・・・一対のキャスターの前輪案内板
２９・・・一対の側板
２９ａ・・・一対のキャスターの後輪入口案内板
２９ｂ・・・一対のキャスターの後輪案内板
ｈ・・・ガイドレール側板の高さ
３０・・・ガイドレール後端部の止め板
３３・・・ゴミ箱底板前部に装着の乗越し可倒板
３３ａ・・・ゴミ箱底板前部に取付けた乗越し可倒板の前板
３３ｂ・・・ゴミ箱底板前面部の乗越し可倒板の後板
３４・・・ゴミ箱前面の扉
４００・・・移動台車
４０・・・底板
４１・・・移動台車に取付けた４個のキャスター
４１ａ、４１ｄ・・・キャスターの後輪
４１ｂ、４１ｃ・・・キャスターの前輪
４２・・・４本の支柱
４２ａ、４２ｂ、４２ｃ、４２ｄ・・・支柱
４３・・・３本の天井水平梁
４４・・・ゴミ箱前面側の上部回転梁
４５・・・ピン
４６・・・頭付きボルト状の受ピン
４７・・・数本の水平梁４７
４８・・・ゴミ箱前面の下部回転梁
４９・・・天井押え枠
５０・・・押え金具
５１・・・板バネ
【図１】
0003111843.tif 000003
【図２】
0003111843.tif 000004
【図３】
0003111843.tif 000005
【図４】
0003111843.tif 000006
【図４ａ】
0003111843.tif 000007
【図４ｂ】
0003111843.tif 000008
【図４ｃ】
0003111843.tif 000009
【図４ｄ】
0003111843.tif 000010
【図４ｅ】
0003111843.tif 000011
【図４ｆ】
0003111843.tif 000012
【図４ｇ】
0003111843.tif 000013
【図５】
0003111843.tif 000014
【図６】
0003111843.tif 000015
【図７】
0003111843.tif 000016
【図８】
0003111843.tif 000017
【図９】
0003111843.tif 000018
【図１０】
0003111843.tif 000019
【図１１】
0003111843.tif 000020
【図１２】
0003111843.tif 000021